(57)【要約】【課題】使用形態が異なる複数の装身具を形成可能な首掛け装身具を提供する点にある。【解決手段】帯状の本体部Ｂ１を首に回し掛けて、首から振分けた左、右の先端部を少なくとも胸部に向けて均等な長さを垂らす状態で着衣可能な装飾帯体Ｂを備え、この装飾帯体Ｂの先端部間に着脱自在に連結可能であるとともに、帯体から外した独立状態で端部同士が着脱自在に連結可能な複数の装飾連結体Ｃ１，Ｃ２を備える。【選択図】        図１
2004188088.tif 000002
【特許請求の範囲】
【請求項１】
帯状の本体部を首に回し掛けて、首から振分けた左、右の先端部を少なくとも胸部に向けて均等な長さを垂らす状態で着衣可能な装飾帯体を備え、この装飾帯体の先端部間に着脱自在に連結可能であるとともに、帯体から外した独立状態で端部同士が着脱自在に連結可能な複数の装飾連結体を備える首掛け装身具。
【請求項２】
前記装飾帯体が、表、裏面の少なくとも一面に黒色系の装飾がなされている請求項１記載の首掛け装身具。
【請求項３】
前記装飾連結体が、ブレスレットから構成されている請求項１又は２記載の首掛け装身具。
【請求項４】
前記装飾連結体が、少なくとも長さの異なる２連のブレスレットから構成されているとともに、装飾帯体に対して、長さの短いブレスレットを内輪側に配置し、長さの長いブレスレットを外輪側に配置する連結構成になっているとともに、装飾帯体からの取外し状態で、両ブレスレットを一連に連結してネックレスを形成可能になっている請求項１、２又は３記載の首掛け装身具。
【請求項５】
前記ブレスレットが、多数の真珠を数珠繋いで構成されている請求項３又は４記載の首掛け装身具。
【発明の詳細な説明】
【０００１】
【発明の属する技術分野】
本発明は、連結状態、連結解除状態で使用形態の異なる装身具を形成する首掛け装身具に関する。
【０００２】
【従来の技術】
冠婚葬祭等の一般的儀式, 参拝や拝礼等の宗教的儀式、入学式、卒業式、成人式等の社会的儀式等に参加したり参列したりする際、女性ではネックレスやブレスレット等の装身具を身に付けたりすることが行われ、また、儀式の種類に応じて男女の区別なく半袈裟や襟帯を装着したりすることも行われている。
【０００３】
【発明が解決しようとする課題】
そして、このような儀式用の装身具は、常日頃から用意されると言った商品傾向のものであるため、特に女性においては、各儀式に対応して準備しておくと品数がどうしても多くなるものであるとともに、このような装身具は、多くの場合、使用頻度が少なく経済的な必需品とはいえないものであった。
【０００４】
本発明は、上述の実状に鑑みて為されたものであって、その主たる課題は、使用形態が異なる複数の装身具を形成可能な首掛け装身具を提供する点にある。
【０００５】
【課題を解決するための手段】
本発明の請求項１による首掛け装身具の特徴構成は、帯状の本体部を首に回し掛けて、首から振分けた左、右の先端部を少なくとも胸部に向けて均等な長さを垂らす状態で着衣可能な装飾帯体を備え、この装飾帯体の先端部間に着脱自在に連結可能であるとともに、帯体から外した独立状態で端部同士が着脱自在に連結可能な複数の装飾連結体を備える点にある。
【０００６】
上記特徴構成によれば、装飾帯体に対して装飾連結体を連結した状態で、首掛け装身具を形成することができ、この連結状態から装飾連結体を外した状態で、単独の装飾連結体の端部同士を連結状態にすることによって、首掛け装身具とは別のループ状の装身具を形成することができ、複数の装飾連結体を一連に連結することによって、さらに別のループ状の装身具を形成することができる。
【０００７】
従って、一つの首掛け装身具から使用形態が異なる複数の装身具を形成可能になっているので、多目的に使用することができ経済的であるとともに、一纏めの状態から必要に応じて異なる装身具を使用状態にすることができるので、取扱い性がよい利点を有する。
【０００８】
本発明の請求項２による首掛け装身具の特徴構成は、前記装飾帯体が、表、裏面の少なくとも一面に黒色系の装飾がなされている点にある。
【０００９】
上記特徴構成によれば、黒色系の装飾がなされている面を表面として装着することによって、葬祭儀式に好適に使用することができる。
また、装飾帯体の片面に黒色系の装丁がなされている場合、葬祭儀式の使用以外では, 黒色系の装飾面を裏面することによって他の儀式に対応することができる。
【００１０】
従って、このような種類の装飾帯体を品揃えしておくことによって、使用形態の異なる多様な商品体系を形成することができる。
【００１１】
本発明の請求項３による首掛け装身具の特徴構成は、前記装飾連結体が、ブレスレットから構成されている点にある。
【００１２】
上記特徴構成によれば、それ自体に装飾性を有するブレスレッドを装飾連結体に用いるので、装飾帯体の装飾性との相乗による装飾性を形成することができる。
【００１３】
従って、より装飾性のある首掛け装身具を形成することができ、商品の付加価値を高めることができる。
【００１４】
本発明の請求項４による首掛け装身具の特徴構成は、前記装飾連結体が、少なくとも長さの異なる２連のブレスレットから構成されているとともに、装飾帯体に対して、長さの短いブレスレットを内輪側に配置し、長さの長いブレスレットを外輪側に配置する連結構成になっているとともに、装飾帯体からの取外し状態で、両ブレスレットを一連に連結してネックレスを形成可能になっている点にある。
【００１５】
上記特徴構成によれば、装飾帯体に装飾連結体である２連のブレスレットを連結した状態では、長、短のブレスレットが内、外に整然と分かれた連結状態を形成することができるとともに、装飾帯体から外した２連のブレスレットを一連に連結した状態で、ネックレス等の装身具を形成することができ、各別に連結した状態でリング径の異なるブレスレットを形成することができる。
従って、夫々に異なる連結状態で異なる装身具を形成することができ、しかも、一般に、儀式などでよく使用されるブレスレットやネックレスと言った装身具を形成することができるので、使い勝手がよい。
【００１６】
本発明の請求項５による首掛け装身具の特徴構成は、前記ブレスレットが、多数の真珠を数珠繋いで構成されている点にある。
【００１７】
上記特徴構成によれば、冠婚葬祭はもとより、パーティー等、多くの儀式に対応使用がすることができる。
従って、信頼性のある首掛け装身具を形成することが可能である。
真珠としては、本真珠、淡水真珠等の天然真珠や養殖真珠、人工真珠を意味する。
【００１８】
【発明の実施の形態】
〔第１実施形態〕
以下、本発明を適用した首掛け装身具の一実施形態を図面に基づいて説明する。
この首掛け装身具Ａは、図１に示すように、帯状の本体部Ｂ１を首に回し掛けて、首から振分けた左、右の先端部を少なくとも胸部に向けて均等な長さを垂らす状態で、かつ、地肌側に面接する状態に着衣可能な装飾帯体Ｂを備え、この装飾帯体Ｂの先端部間に着脱自在に連結可能であるとともに、帯体から外した独立状態で端部同士が着脱自在に連結可能な装飾連結体Ｃを備える。
【００１９】
前記装飾帯体Ｂは、例えば、図柄や文様を刺繍を施した帯状の装飾表生地からなる表面ＢＡと、黒色系のビロード地からなる帯状の装飾裏生地からなる裏面ＢＢとを表裏にした状態で縫着して形成されている。この実施形態の装飾帯体Ｂは、幅が約５０ｍｍ程度で長さが約６２０ｍｍ程度のものが用いられている。装飾帯体Ｂの素地としては、帯生地、着物生地、不織布生地、ビーズ編み生地、フイルム地等であってもよい。
【００２０】
前記装飾連結体Ｃは、長さの異なる多数の真珠１・・・ を数珠繋いで構成されている２連のブレスレットＣ１，Ｃ２から構成され、装飾帯体Ｂに対して、長さの短いブレスレットＣ１を内輪側に配置連結し、長さの長いブレスレットＣ２を外輪側に配置連結してエンドレスの首掛け装身具Ａを形成するようになっている。
【００２１】
前記ブレスレットＣ１，Ｃ２の真珠１・・・ は、例えば、対称形態が最も均整が取れる中心部分に、麻糸、タコ糸、絹糸などを用いた綴じ紐２が挿通される紐通し孔が開けられた直径が約８ｍｍ程度の大きさの淡水真珠が用いられ、長さの短い方のブレスレットＣ１では、３２個の真珠１・・・ が用いられて、長さが約２００ｍｍ程度、端部同士を連結して内径が約６６ｍｍ程度に形成され、長さの長い方のブレスレットＣ２では、３７個の真珠１・・・ が用いられて、長さが約２３０ｍｍ程度、端部同士を連結して内径が約７４ｍｍ程度に形成されている。
【００２２】
この実施形態のブレスレットＣ１，Ｃ２は、真珠を取扱う宝飾会社製のものが使用され、その会社のブランド名, 社名、社章等の信用表示Ｓ１を、例えば、図２中の装飾帯体Ｂの片側の本体部Ｂ１部分に３点鎖線で示す長方形領域に標記して、ブレスレットに使用されている真珠の真贋や品質を保証するイメージを視覚的に受け取れるように工夫がなされている。このような信用表示Ｓ１は、対称位置の本体部Ｂ１部分にも標記してあるものであってもよい。
【００２３】
装飾帯体ＢとブレスレットＣ１，Ｃ２の連結、ブレスレットＣ１，Ｃ２の端部Ｃａ，Ｃａ同士の連結、２連のブレスレットＣ１，Ｃ２を一連に連結するには, 係合受け部材４に対して係合部材３を着脱自在な連結手段Ｄを介して実施されている。
【００２４】
一方の係合部材３は，図４に示すように、装飾帯体Ｂ、又はブレスレットＣ１，Ｃ２の端部に設けられた係止環Ｃｂに止着可能な取付け孔３ａが基端部に穿孔され、Ｕターン状に曲げ戻された２段階に外向の屈曲形成された弾性変位片３ｂが先端部に一体形成されているとともに、この弾性変位片３ｂの屈曲部分に板幅方向の板両側部に受け溝３ｃ，３ｃが形成されている。
【００２５】
他方の係合受け部材４は、装飾帯体Ｂ、又は、ブレスレットＣ１，Ｃ２の端部に設けられた係止環Ｃｂに止着可能な取付け環４ａが基端部に固着されているとともに, 先端に係止孔４ｂを穿孔する筒本体部４Ａから構成されている。この係合受け部材４の筒本体部４Ａの先端には、係止孔４ｂを跨ぐようにコの字状に折り曲げ形成された落下防止杆４Ｂが設けられている。
【００２６】
係合受け部材４に対して係合部材３は、図４（イ）に示すように、弾性変位片３ｂのＵターン部分に落下防止杆４Ｂを位置させ, 次いで、係止孔４ｂから弾性変位片３ｂの弾性変位力に抗して筒本体部４Ａ内に挿入して、同図（ロ）にしめすように、弾性変位片３ｂの係止溝３ｃ，３ｃを係止孔４ｂに係止することによって連結状態となり、反対に、この連結状態の弾性変位片３ｂの弾性変位力に抗して、筒状本体部４Ａの係止孔４ｂと弾性変位片３ｂの係止溝３ｃ，３ｃとの係止状態を解除して、筒状本体部４Ａから弾性変位部を抜き出すことによって連結状態を解除することができる。この解除状態では、弾性変位片３ｂのＵターン部である先端部分に落下防止杆４Ｂを位置させる仮止め状態になるようになっており、この仮止め状態において、落下防止杆４Ｂに対して弾性変位片３ｂを抜き去って、落下防止杆３ｂと係合部材３との仮止め状態を解除して、係合受け部材４から係合部材を離間することができるようになっている。
【００２７】
係合部材３及び係合受け部材４は、例えば、１４金や１８金等の金素材、又は、金素材のメッキを施した金属素材から形成されている。
【００２８】
また、連結手段Ｄの係合受け部材４には、少なくとも表、裏に対応する部分には、真珠を取扱う宝飾会社のブランド名, 社名、社章等の信用表示Ｓ２が標記されている。
【００２９】
装飾帯体Ｂに設けた係合受け部材４は、装飾帯体Ｂに対して軸回りが止められた状態に取付けられているので、装飾帯体Ｂとの連結状態では筒状の係合受け部材４の表半面と裏半面とが装飾帯体Ｂの表、裏面に対応する関係となり、この実施形態ではその対応する半面に黒色系に装飾した黒色装飾面４ａを形成してある。この黒色装飾面４ａは、例えば、チタンメッキ、クロムメッキ、貴金属メッキ、有色金属メッキ等から形成され、メッキの手法としては、例えば、電気メッキ、無電解メッキ、蒸着メッキ、金属溶射等があげられる。
【００３０】
この実施形態では、装飾帯体Ｂの各端部に、係合部材３と係合受け部材４を対称配置に設けられている。ここで、装飾帯体Ｂの一端部に一組の係合部材３，３を配置し、他端部対応する一組の係合受け部材４，４を配置してもよい。
【００３１】
このような構成にすることによって、装飾帯体Ｂに２連のブレスレットＣ１，Ｃ２を連結することによって、図２に示すように、首回りから胸の上部にかけて装飾帯体が位置し、首下の胸上部に２連のブレスレットＣ１，Ｃ２が内輪と外輪に分かれた状態で位置する新規な形態を有する首掛け装身具Ａを形成することができる。
【００３２】
しかも、装飾帯体Ｂの刺繍面を表面として着衣することによって、葬祭儀式以外の儀式に使用する首掛け装身具を形成することができ、反対に、装飾帯体の黒色系の装飾表生地ＢＡ面を表面として着衣することによって、葬祭儀式に使用する首掛け装身具Ａを形成することができる。
【００３３】
このような首掛け装身具Ａにおいて、装飾帯体の黒色系の装飾表生地ＢＡ面を表面として着衣した場合、外見上には、装飾帯体Ｂと係合受け部材４の黒色装飾面が表出して、係合受け部材４の表半面の金属色が隠された状態にすることができ、葬祭儀式に好適に使用することができる。
【００３４】
また、図３（イ）に示すように、２連のブレスレットＣ１，Ｃ２を一連に連結することによってネックレスＣＣを形成することができる。
【００３５】
このネックレスＣＣとしては、同図（イ）に示すように、連結手段Ｄを左右に振分けた状態で首回りに装着することによって、連結手段Ｄの有する装飾性と、連結手段Ｄ部分に標記された信用表示Ｓ２を認識性とを強調することができるとともに、左右位置では首との接触も少なく、見た目にも大きな連結手段Ｄを採用することができることによって、係合部材３と係合受け部材４との係合操作が小型のものより容易になり、且つ、大きくなるに伴って信用表示Ｓ２も大きく標記することが可能になるので、信用表示Ｓ２の認識性をより高めることも可能である。
【００３６】
また、首掛け装身具Ａでは前記２系統の信用表示Ｓ１，Ｓ２が設けられていることによって、ネックレスＣＣ状態、及び、ブレスレットＣ１，Ｃ２状態では１系統の信用表示Ｓ２によって、夫々の状態によって品質や信頼性を担保することが可能になるので、コピー商品の参入の阻止化や、保証書等の信用保証の代用化を可能にすることができる。
【００３７】
さらに、図３（ロ）に示すように、各ブレスレットＣ１，Ｃ２を各別に端部同士を連結することによって、径が異なるブレスレットを形成することができる。
【００３８】
尚、装飾帯体単独においても、連結手段Ｄを介して端部同士を連結することによって, 使用形態の異なる、例えば、襟巻き状の首飾りや輪袈裟等の装身具を形成することができる。
【００３９】
〔その他の実施形態〕
（１）  上記実施形態においては、装飾帯体Ｂに２連のブレスレットＣ１，Ｃ２を連結する例を説明したが、本発明はこれに限らず、３以上のブレスレットを装飾帯体に連結するものであってもよい。また、各ブレスレットが一本状態のものに限らず、複数本の束形態にしたものであってもよい。
【００４０】
（２）  上記実施形態の装飾帯体Ｂは、表、裏面の片面である裏面ＢＢにのみに黒色系の装飾を施したものについて説明したが、本発明はこれに限らず、表, 裏面の両面に黒色系の装飾を施したものであってもよい。
この場合、葬祭儀式専用の装飾帯体を形成することができる。
【００４１】
（３）  上記実施形態のブレスレットＣ１，Ｃ２に淡水真珠１・・・ を用いた例を説明したが、本発明はこれに限らず、ヒスイ、白水晶、紅水晶、紫水晶、緑石、めのう、ラビスラズリー、虎目石、サンゴ、琥珀、菩提樹、白檀、金、銀等の金属、等を素材とする数珠素材であってもよい。これらを真似た人工数珠素材であってもよい。ここで、数珠素材の大きさが揃っているブレスレット、数珠素材の大きさに大小のあるブレスレットであってもよい。
【００４２】
また、数珠素材ではなく、紐素材、帯紐素材、金属、合成樹脂、木材、紙類、複合材等からなる鎖素材、木材、金属、宝石、合成樹脂、複合材等からなる棒素材等であってもよく、また、これらに選択的に実施可能な鍍金、象嵌、彫刻、印刷等の装飾を施したものであっても、ビーズ状に編成されたものであってもよい。
【００４３】
（４）  上記実施形態においては、装飾帯体Ｂに２連のブレスレットＣ１，Ｃ２を連結することによって、首回りから胸の上部にかけて装飾帯体Ｂが位置し、首下の胸上部に２連のブレスレットＣ１，Ｃ２が内輪と外輪に分かれた状態で位置する首掛け装身具Ａについて説明したが、本発明はこれに限らず、この実施形態よりも長い装飾帯体を採用して、半袈裟状、輪袈裟状、帯襟状の首掛け装身具を形成するものであってもよい。
【００４４】
（５）  連結手段Ｄは上記実施形態のものであってもよく、例えば、ブレスレットやネックレスなどに用いられている止め金具であるスイベル、ボトルリングを用いる構成であってもよい。
【図面の簡単な説明】
【図１】本発明に実施例の首掛け装身具を示す斜視図
（イ）は首掛け装身具の分解斜視図
（ロ）は首掛け装身具の連結状態を示す斜視図
【図２】首掛け装身具の使用状態を示す正面図
【図３】ブレスレットの斜視図
（イ）は２連のブレスレットを一連に連結した状態を示す斜視図
（ロ）は２連のブレスレットを各別に連結した状態を示す斜視図
【図４】連結手段の係合部材と係合受け部材を示す断面図
（イ）は連結していない状態の係合部材と係合受け部材を示す断面図
（ロ）は連結状態の係合部材と係合受け部材を示す断面図
【符号の説明】
Ａ                首掛け装身具
Ｂ                装飾帯体
Ｂ１              帯状の本体部
ＢＡ              装飾帯体の表面
ＢＢ              装飾帯体の裏面
Ｃ１，Ｃ２        装飾連結体（ブレスレット）
ＣＣ              ネックレス
１                真珠
【図１】
2004188088.tif 000003
【図２】
2004188088.tif 000004
【図３】
2004188088.tif 000005
【図４】
2004188088.tif 000006